(57)【要約】【課題】  ミストサウナ機能付浴室暖房装置として、ミスト噴霧に際して水の気化熱によって浴室内の熱が奪われないようにして浴室内の温度低下防止できるものを実現する。【解決手段】  本ミストサウナ機能付浴室暖房装置は、ミストサウナ入浴を実現するために浴室内にミスト噴霧するミストノズル１８と、浴室内に湿潤空気を送り込む加湿用噴霧部２と、浴室内の湿度を検知する湿度センサ５とを設け、上記加湿用噴霧部２の加湿運転により上記湿度センサ５で浴室内の湿度飽和（高湿度状態）が検知されると、上記ミストノズル１８からのミスト噴霧を可能とする。これにより、湿度飽和状態の浴室内にミストノズル１８からミスト噴霧してもミストは気化することがなく浴室内の空気から気化熱を奪うこともない。従って、ミストサウナ入浴に際してミスト噴霧時の浴室内の温度低下を防ぐことが可能となる。【選択図】  図１
2006300388.tif 000002
【特許請求の範囲】
【請求項１】
ミストサウナ入浴を実現するために浴室内にミスト噴霧を行うミスト吹出し部を備えたミストサウナ機能付浴室暖房装置において、
浴室内に湿潤空気を送り込む加湿手段と、浴室内の湿度を検知する湿度検知手段とを設け、
上記加湿手段の加湿運転により上記湿度検知手段で浴室内の高湿度状態が検知されると、上記ミスト吹出し部からのミスト噴霧を可能とするようにしたミストサウナ機能付浴室暖房装置。
【請求項２】
請求項１に記載のミストサウナ機能付浴室暖房装置において、
ミストサウナ入浴前の一定時間の予備暖房運転時は、その前期には上記加湿手段の加湿運転を行わず暖房運転のみを行い、その後期には暖房運転と共に上記加湿手段の加湿運転を行うようにするミストサウナ機能付浴室暖房装置。
【請求項３】
請求項１または２に記載のミストサウナ機能付浴室暖房装置において、
少なくとも上記ミスト吹出し部からのミスト噴霧の間は上記加湿手段の加湿運転を停止するようにするミストサウナ機能付浴室暖房装置。
【請求項４】
請求項１ないし３のいずれかに記載のミストサウナ機能付浴室暖房装置において、
上記加湿手段は、本浴室暖房装置に搭載する暖房用の熱交換器に対して温水または水をかけて湿潤空気を浴室内に送り込むものとするミストサウナ機能付浴室暖房装置。
【請求項５】
請求項１ないし４のいずれかに記載のミストサウナ機能付浴室暖房装置において、
浴室内の高湿度状態が検知されると、ミスト噴霧可能なことを報知するようにするミストサウナ機能付浴室暖房装置。
【発明の詳細な説明】
【技術分野】
【０００１】
本発明は、ミストサウナ入浴を実現するために浴室内にミスト噴霧を行うミスト吹出し部を備えたミストサウナ機能付浴室暖房装置に関するものである。
【背景技術】
【０００２】
従来より、この種浴室暖房装置として、浴室内でミストサウナ入浴を楽しめるようにするため、温風暖房乾燥機の他にミスト噴霧用ノズルを浴室内に取り付けたもの（特許文献１）、温風に蒸気を含ませて浴室内に吹出すミスト噴霧手段を設けたもの（特許文献２、特許文献３）等がある。
図５に示す浴室暖房装置は、浴室５１の壁面に設けたミスト噴霧用ノズル５２と天井に取り付けた温風暖房乾燥機５６を備え、熱源機５３からの温水を温水循環ライン５７を通して熱交換器５６ａ内を循環させて送風ファン５６ｂによって浴室５１内から吸引した空気を温めて浴室内に温風を吹出して暖房することに加えて、熱源機５３からの温水を温水供給ライン５４を通してミスト噴霧用ノズル５２からミストとして噴霧させるようにしている。
【特許文献１】特開２００２−８９８６６号公報
【特許文献２】特開２００２−７８７７１号公報
【特許文献３】特開２００４−２３２９３３号公報
【発明の開示】
【発明が解決しようとする課題】
【０００３】
ところで、従来の上記浴室暖房装置においては、水蒸気（あるいは湿度）が飽和していない浴室内にミスト噴霧するので、ミストが気化する際に浴室内の空気から気化熱を奪うため、その気化熱が浴室内の温度上昇の妨げとなっていた。
例えば、ミストサウナ入浴前の予備暖房としてミスト噴霧を行わず暖房運転だけを行い、そして、ミストサウナ入浴時にミスト噴霧を開始すると、浴室内の空気から気化熱が奪われて浴室内の温度が下がってしまう。また、ミストサウナ入浴中にミスト噴霧を中断して暖房運転を継続していると浴室内の湿度が低下し、そして、ミスト噴霧を再開すると、このとき浴室内の空気から気化熱が奪われて浴室内の温度が下がってしまう。
なお、特許文献３には、ミスト噴霧させる蒸気発生状態とミスト噴霧させないドライな温風発生状態とを創出する暖房手段を設け、この暖房手段の運転開始当初はミスト噴霧の蒸気発生状態とし、浴室内の湿度が基準値（湿度９０％）以上となると、ドライな温風発生状態に切替え、その後、浴室内の湿度が上記基準値未満となると、再び蒸気発生状態に切替えるようにして、浴室内の湿度を所定範囲に維持して入浴者が快適な暖房状態で入浴できるようにすることを開示する（特許文献３の段落００３８）。しかしながら、このものでも、蒸気発生状態にする際、すなわちミスト噴霧させる際、浴室内は湿度飽和していないから、依然として、ミストの気化によって浴室内の空気から気化熱を奪い、浴室内の温度上昇を妨げていた。
本発明は、上記事情に鑑みてなされたものであり、ミスト噴霧に際して水の気化熱によって浴室内の熱が奪われないようにして、浴室内の温度低下を防ぐことを可能にしたミストサウナ機能付浴室暖房装置を実現することを課題とする。
【課題を解決するための手段】
【０００４】
（１）本発明に係るミストサウナ機能付浴室暖房装置は、
ミストサウナ入浴を実現するために浴室内にミスト噴霧を行うミスト吹出し部を備えたミストサウナ機能付浴室暖房装置において、
浴室内に湿潤空気を送り込む加湿手段と、浴室内の湿度を検知する湿度検知手段とを設け、
上記加湿手段の加湿運転により上記湿度検知手段で浴室内の高湿度状態が検知されると、上記ミスト吹出し部からのミスト噴霧を可能とするようにしたものである。
これにより、上記加湿手段の加湿運転によって浴室内に湿潤空気を送り込んで浴室内を高湿度状態に加湿することができる。そして、上記湿度検知手段によって浴室内の高湿度状態が検知されると上記ミスト吹出し部からのミスト噴霧を可能とするので、高湿度状態の浴室内にミスト噴霧してもミストはほとんど気化することがなく浴室内の空気から浴室内の温度低下を招くような気化熱を奪うこともない。なお、上記高湿度状態には、湿度飽和状態も含む。
【０００５】
（２）また、上記ミストサウナ機能付浴室暖房装置において、
ミストサウナ入浴前の一定時間の予備暖房運転時は、その前期には上記加湿手段の加湿運転を行わず暖房運転のみを行い、その後期には暖房運転と共に上記加湿手段の加湿運転を行うようにしてもよい。
すなわち、予備暖房運転の全期間を通して加湿手段による加湿運転を行わなくても、その後期に上記加湿運転を行うことで、予備暖房の終了時点には浴室内を高湿度状態にすることができる。従って、浴室内の加湿に使う水や湿潤空気を作るためのエネルギーの浪費を防ぎ、予備暖房のランニングコストを低減することができる。
なお、上記予備暖房運転の後期とは、例えば、予備暖房運転の設定時間が残り５分以下となった場合や、暖房運転によって浴室温度が設定温度に達した場合等が挙げられる。
【０００６】
（３）また、上記ミストサウナ機能付浴室暖房装置において、
少なくとも上記ミスト吹出し部からのミスト噴霧の間は上記加湿手段の加湿運転を停止するようにしてもよい。
すなわち、ミスト噴霧の間は加湿手段の加湿運転を停止してもミスト噴霧によって浴室内の高湿度状態を維持することができる。従って、ミスト噴霧の間は加湿手段の加湿運転を停止することで、その分浴室内の加湿に使う水や湿潤空気を作るためのエネルギーの浪費を防ぎ、ミストサウナ運転のランニングコストを低減することができる。
【０００７】
（４）また、上記加湿手段は、本浴室暖房装置に搭載する暖房用の熱交換器に対して温水または水をかけて湿潤空気を浴室内に送り込むものとしてもよい。
すなわち、熱交換器に対して温水または水をかけて湿潤空気を作ることで、温水等の蒸発に伴って熱交換器から気化熱を奪うことができる。従って、熱交換器の放熱能力を最大限に活用して、熱交換器と空気との熱交換では限界があった熱交換量を増大させて、熱交換器での熱交換効率を向上することができる。
【０００８】
（５）また、上記ミストサウナ機能付浴室暖房装置において、
浴室内の高湿度状態が検知されると、ミスト噴霧可能なことを報知するようにしてもよい。
これにより、入浴者はミスト噴霧によるミストサウナ入浴が直ちに行えることを容易に知ることができ、使い勝手がよいものとなる。
【発明の効果】
【０００９】
以上のように、本発明に係るミストサウナ機能付浴室暖房装置によれば、加湿手段によって浴室内を高湿度状態にしてからミスト吹出し部からミスト噴霧を行うようにするので、ミスト噴霧してもミストはほとんど気化することがなく浴室内の空気から浴室内の温度低下を招くような気化熱を奪うこともない。従って、ミストサウナ入浴に際してミスト噴霧時の浴室内の温度低下を防ぐことが可能となる。
【発明を実施するための最良の形態】
【００１０】
以下に、本発明の実施の形態について図面を参照しながら説明する。
（実施の形態１）
図１には、本発明の実施の形態１によるミストサウナ機能付浴室暖房装置の構成を示す。図１に示すように、実施の形態１のミストサウナ機能付浴室暖房装置は、浴室暖房ユニット１０と、ミストユニット２０と、ミストノズル（ミスト吹出し部）１８とを備え、上記浴室暖房ユニット１０及び上記ミストユニット２０には屋外等に設置された熱源機３０と配管接続されている。
【００１１】
上記浴室暖房ユニット１０は、浴室内の壁面等の所定位置に設置され、熱交換器１、加湿用噴霧部(加湿手段)２、回収皿４、送風ファン３、湿度センサ（湿度検知手段）５、制御用基板６等を備える。上記熱交換器１は、熱源機３０からの循環用の配管２１，２２に接続され、熱源機３０で生成された熱媒体（温水など）が循環供給される。なお、配管(往管)２１には熱媒体の流れを制御する流量制御弁７が設けられている。この流量制御弁７は、配管２１内における熱媒体の流量制御（遮断・流通を含む。）をするものであるが、熱媒体の流れをＯＮ／ＯＦＦ制御する弁を用いてもよい。上記加湿用噴霧部２は、熱交換器１の上方に配設され、ミストユニット２０からの配管１３に接続されて温水の供給を受け、この温水を熱交換器１にかけて湿潤空気を生成させて湿潤空気を浴室内に送り込むようにする。なお、この加湿用噴霧部２によって熱交換器１にかけた温水の残りは、熱交換器１の下方に設置された回収皿４によって回収される。上記送風ファン３は、浴室内の空気を浴室暖房ユニット１０内に循環させて熱交換器１を通して浴室内に温風を吹き出すものである。上記湿度センサ５は、制御用基板６に接続され、その感知部を浴室内に露出させて浴室内の湿度を検知するものである。なお、この湿度センサ５の感知部は、浴室内の湿度を検知できるならば、浴室暖房ユニット１０内に設けてもよい。上記制御用基板６は、湿度センサ５の検出信号や制御信号の授受を行い、上記浴室暖房ユニット１０の動作を制御するものである。そして、この制御用基板６によって、上記加湿用噴霧部２による加湿運転により上記湿度センサ５で浴室内の湿度飽和が検知されると、ミストノズル１８からのミスト噴霧を可能とするように制御する。
【００１２】
上記ミストユニット２０は、液体−液体間で熱交換を行う液々熱交換器１１を備える。上記液々熱交換器１１は、熱源機３０からの循環用の配管２３，２４に接続されて熱媒体（温水）が循環供給される。また、この液々熱交換器１１には、水道水等を供給する給水管１２、ミストノズル１８への配管１４、及び上記加湿用噴霧部２への配管１３が接続されており、給水管１２から供給される水を所定温度に温めて温水とし、この温水を上記加湿用噴霧部２と上記ミストノズル１８へ供給する。なお、上記循環用の配管(往管)２３には熱媒体の流れを制御する流量制御弁１７が設けられ、また、上記配管１３，１４には温水の流れを制御する電磁弁等の制御弁１５，１６が設けられている。上記流量制御弁１７は、配管２３内における熱媒体の流量制御（遮断・流通を含む。）をするものであるが、熱媒体の流れをＯＮ／ＯＦＦ制御する弁を用いてもよい。同様に、上記制御弁１５，１６も配管１３，１４内における温水の流量制御（遮断・流通を含む。）をするものであるが、温水の流れをＯＮ／ＯＦＦ制御する弁を用いてもよい。
【００１３】
上記ミストノズル１８は、浴室内の壁面等の所定位置に設置され、上記ミストユニット２０から供給される温水をミスト状にして浴室内に噴霧するものである。なお、このミストノズル１８は、上記浴室暖房ユニット１０における下部や前面部等の適宜位置に取り付けるようにしてもよい。
上記熱源機３０は、通常のガス給湯器や各種温水生成器等で構成することができ、生成した温水等の熱媒体を上記浴室暖房ユニット１０の熱交換器１や上記ミストユニット２０の液々熱交換器１１に循環供給させるものである。また、上記熱源機３０は、その動作を制御する制御用基板２５を備えている。この制御用基板２５は、信号線２６により上記浴室暖房ユニット１０の制御用基板６に通信接続されると共に、脱衣室等に配置される浴室リモコン２７や台所に配置される台所リモコン２８にも通信接続されている。
【００１４】
次に、この実施の形態１のミストサウナ機能付浴室暖房装置に関する運転動作について説明する。
＜ミスト予備暖房運転＞
まず、ミストサウナ入浴前の一定時間のミスト予備暖房運転について説明する。
図２には、ミスト予備暖房運転の動作フローを示す。図２を参照して、浴室リモコン２７又は台所リモコン２８を操作してミスト予備暖房運転の開始を指令すると（Ｓ１）、リモコン２７，２８から熱源機３０に指令が伝達され（Ｓ２）、次いで熱源機３０から制御用基板２５，６を介して浴室暖房ユニット１０へミスト予備暖房運転開始指令が伝達される（Ｓ３）。
【００１５】
すると、熱源機３０が運転されると共に、浴室暖房ユニット１０においてミスト予備暖房運転を開始する（Ｓ４）。なお、上記リモコン２７，２８の操作によりミスト予備暖房運転の開始を指令したとき、予備暖房運転の時間（例えば、３０分程度）が適宜設定される。このミスト予備暖房運転が実行されると、熱源機３０により熱媒体が浴室暖房ユニット１０の熱交換器１に循環され、送風ファン３により温風を吹き出すことにより浴室内の暖房を行うが、当初からは制御弁１５を閉じて熱交換器１に対して加湿用噴霧部２から温水は噴霧されない。すなわち、ミスト予備暖房運転時の前期には上記加湿用噴霧部２による加湿運転を行わずドライな温風による暖房運転のみを行う。
【００１６】
次いで、ミスト予備暖房運転の設定時間が、例えば残り５分以下になったか否か判別し（Ｓ５）、設定時間が残り５分以下になっていない場合は浴室温が設定温度に達したか否か判別する（Ｓ６）。そして、ミスト予備暖房運転の設定時間が残り５分以下になったか、あるいは浴室温が設定温度に達すると、加湿運転を開始する（Ｓ７）。すなわち、この加湿運転が開始されると、熱源機３０からの熱媒体がミストユニット２０の液々熱交換器１１にも循環され、給水管１２から供給される水が温められる。このとき、制御弁１５が開かれて、上記液々熱交換器１１で温められた温水は配管１３を通して加湿用噴霧部２より浴室暖房ユニット１０の熱交換器１に噴霧される。噴霧された温水は空気を暖めると同時に加湿するので、送風ファン３からは温められて加湿された湿潤空気が吹き出され、浴室内を加湿暖房する。なお、熱交換器１に噴霧された温水の残りは回収皿４に回収される。
【００１７】
そして、このような加湿運転が継続されて浴室内の湿度が上昇して、湿度センサ６により浴室内の湿度飽和状態が検知されると（Ｓ８）、ミストノズル１８からのミスト噴霧を可能とする。また、ミスト予備暖房がタイムアップすると、ミスト入浴準備完了の情報が熱源機３０へ伝達され（Ｓ９）、熱源機３０から浴室リモコン２７及び台所リモコン２８にミスト入浴準備完了の情報を伝達し（Ｓ１５）、リモコン２７，２８において、ミスト入浴の準備完了を音声ガイダンス又はメロディにより報知し、また、その液晶画面等に「ミスト準備完了」等の表示を行う（Ｓ１６）。同様に浴室暖房ユニット１０でもミスト入浴準備完了を音声ガイダンス又はメロディにより報知する（Ｓ１０）。そして、浴室リモコン２７等でミストスイッチをＯＮすると（Ｓ１１）、ミストタイマがセットされると共に、ミスト噴霧予告を音声ガイダンス又はメロディにより報知して（Ｓ１２）、ミストノズル１８からミストの噴霧を開始する（Ｓ１３）。その後、ミストスイッチをＯＦＦするか又はミストタイマがタイムアップすると、ミストノズル１８からのミスト噴霧は停止される（Ｓ１４）。
【００１８】
以上のように、ミスト予備暖房運転では、設定時間が残り５分以下となったときや浴室温が設定温度に達したとき等のようなミスト予備暖房運転の後期における加湿運転によって浴室内の湿度を容易に飽和状態に加湿することができる。すなわち、浴室暖房ユニット１０の熱交換器１に対して温水を噴霧すると、この熱交換器１付近の温度は浴室内雰囲気に比べて高温であるため、飽和水蒸気圧が高く気化し易い。この湿潤空気を浴室内に送り込むと、浴室内雰囲気では相対的に気温が低く飽和水蒸気圧も低いため過飽和になり、浴室内の湿度を容易に飽和状態にすることができる。
【００１９】
そして、上記湿度センサ５によって浴室内の湿度飽和状態が検知されると上記ミストノズル１８からのミスト噴霧を可能とするので、湿度飽和状態の浴室内にミスト噴霧してもミストは気化することがなく浴室内の空気から気化熱を奪うこともない。従って、ミスト予備暖房した後のミストサウナ入浴に際し、ミストノズル１８からのミスト噴霧時における浴室内の温度低下を防ぐことが可能となる。
また、浴室内は湿度飽和状態になっているから、浴室暖房ユニット１０からの温風が入浴者の体に当たっても体から気化熱が奪われることもないので、冷風感を感じるようなこともない。
【００２０】
また、ミストサウナ入浴前の一定時間のミスト予備暖房運転時は、その前期には上記加湿用噴霧部２の加湿運転を行わず暖房運転のみを行い、その後期には暖房運転と共に上記加湿用噴霧部２の加湿運転を行うようにする。すなわち、ミスト予備暖房運転の全期間を通して加湿用噴霧部２による加湿運転を行わなくても、その後期に上記加湿運転を行うことで、ミスト予備暖房の終了時点には浴室内を湿度飽和状態にすることができる。従って、浴室内の加湿に使う水や湿潤空気を作るためのエネルギーの浪費を防ぎ、ミスト予備暖房のランニングコストを低減することができる。
【００２１】
また、上記加湿用噴霧部２は、浴室暖房ユニット１０の熱交換器１に対して温水をかけて湿潤空気を浴室内に送り込むようにする。すなわち、熱交換器１に対して温水をかけて湿潤空気を作ることで、温水等の蒸発に伴って熱交換器１から気化熱を奪うことができる。従って、熱交換器１の放熱能力を最大限に活用して、熱交換器１と空気との熱交換では限界があった熱交換量を増大させて、熱交換器１での熱交換効率を向上することができる。
また、浴室内の湿度飽和が検知されると、ミストノズル１８からミスト噴霧可能なことを報知するようにしたので（図２のＳ１０、Ｓ１６）、入浴者はミスト噴霧によるミストサウナ入浴が直ちに行えることを容易に知ることができ、使い勝手がよいものとなる。
【００２２】
＜ミストサウナ運転＞
次に、ミストサウナ運転について説明する。
なお、このミストサウナ運転は、浴室暖房ユニット１０での暖房運転と共に実行してもよいが、暖房運転することなく直ちに加湿運転をしても差し支えない時、例えば、既に入浴中であり浴室内の温度が充分に上昇している時や季節によって予め暖房運転を行う必要がない時などにおいて実行してもよい運転モードである。
図３には、ミストサウナ運転の動作フローを示す。図３を参照して、まず、浴室リモコン２７又は台所リモコン２８によりミストサウナ運転が指令されると、熱源機３０、浴室暖房ユニット１０及びミストユニット２０が所望の動作を開始し、上述した加湿運転が開始され（Ｓ２１）、浴室暖房ユニット１０から温められた湿潤空気が吹き出され、浴室内が加湿暖房される。
【００２３】
そして、この加湿運転が継続されて浴室内の湿度が上昇し、湿度センサ５により浴室内の湿度飽和状態が検知されると（Ｓ２２）、ミスト噴霧予告を音声ガイダンス又はメロディにより報知し（Ｓ２３）、次いで、ミストノズル１８からミスト噴霧が開始される（Ｓ２４）。その後、ミストスイッチＯＦＦ又はミストタイマのタイムアップによりミスト噴霧が停止される（Ｓ２５）。
このミストサウナ運転においても、加湿用噴霧部２の加湿運転によって浴室内を湿度飽和状態にしてからミストノズル１８からミスト噴霧を行うようにするので、ミスト噴霧してもミストは気化することがなく浴室内の空気から気化熱を奪うこともない。従って、ミストサウナ入浴に際してミストノズル１８からのミスト噴霧時における浴室内の温度低下を防ぐことができる。しかも、ミストノズル１８からのミスト噴霧を中断して暖房を継続し、再びミストノズル１８からミスト噴霧を開始しても、上記ミストサウナ運転動作によって浴室内が湿度飽和状態にされるため、ミストの気化による浴室内の温度低下を防止できる。
【００２４】
なお、上記ミストノズル１８からミスト噴霧される間は上記加湿用噴霧部２の加湿運転（加湿用噴霧部２から熱交換器１に対する温水の噴出動作）を停止するようにしてもよい。すなわち、ミストノズル１８からのミスト噴霧の間は上記加湿運転を停止してもミストノズル１８からのミスト噴霧によって浴室内の湿度飽和状態を維持することができるからである。従って、ミストノズル１８のミスト噴霧の間は加湿用噴出部２の加湿運転を停止することで、その分浴室内の加湿に使う水や湿潤空気を作るためのエネルギーの浪費を防ぎ、ミストサウナ運転のランニングコストを低減することができる。この場合、加湿運転とミスト噴霧との切替えは、上記湿度センサ５での湿度飽和検知に基づいて行ってもよい。
【００２５】
また、上記ミストサウナ機能付浴室暖房装置において、換気ファンを備える換気ユニットを浴室暖房ユニットに並設して、この換気ファンの運転によって浴室内の空気を外界に換気できるように構成してもよい。
また、上記ミスト予備暖房運転において、その後期における加湿運転の開始条件として、予備暖房運転の設定時間が残り５分以下となるか（図２のＳ５）、浴室温が設定温度に達するか（図２のＳ６）のいずれかの場合とするが、残り時間が例えば５分以下となった場合のみ、または浴室温が設定温度に達した場合のみに上記加湿運転を開始するようにしてもよい。
【００２６】
（実施の形態２）
図４には、本発明の実施の形態２によるミストサウナ機能付浴室暖房装置の構成を示す。図４に示すように、この実施の形態２によるミストサウナ機能付浴室暖房装置は、上記実施の形態１のものと同様に、浴室暖房ユニット１０ａ、ミストユニット２０ａ及びミストノズル１８を備えるが、実施の形態１のものと異なるところは、浴室４８内を加湿する加湿手段として加湿器などのような加湿ユニット３７を用いるようにしたものである。
上記ミストユニット２０ａは、図４（ａ）に示すように、浴室４８の外部壁等の所定位置に設置されており、その内部には、液々熱交換器１１と、超音波加湿器で構成された加湿ユニット３７とを備える。液々熱交換器１１と加湿ユニット３７には給水管１２が接続され、この給水管１２には水道水等の水の供給・遮断を行うための電磁弁などからなる制御弁１５ａ，１６ａが設けられている。上記加湿ユニット３７は、水に超音波照射することで湿潤空気を生成するものであり、この湿潤空気は加温されるものではないが、ヒータ等を設けて湿潤空気を加温するようにしてもよい。また、上記加湿ユニット３７には、給水管１２のほか、通気孔３９及び送風ファン３８が接続され、給水管１２から供給される水を超音波照射で気化させて送風ファン３８の運転により通気孔３９から取り込んだ空気を加湿してこの湿潤空気を加湿用配管３３に送り出す。そして、この加湿用配管３３は、浴室４８内に設置した浴室暖房ユニット１０ａに接続されており、加湿用配管３３に送り込まれた湿潤空気をこの浴室暖房ユニット１０ａを介して浴室４８内に送り込むようにする。また、ミストユニット２０ａ内の液々熱交換器１１では、熱源機３０から熱媒体が循環されることにより給水管１２から供給される水を温めて温水とし、この温水を配管１４へ供給してミストノズル１８から浴室４８内に温水ミストを噴霧することができる。
【００２７】
上記浴室暖房ユニット１０ａは、図４（ｂ）に示すように、浴室４８内の壁面等の所定位置に設置されており、その内部には、熱交換器１と、送風ファン３とを備えるが（図４（ａ）参照）、実施の形態１のような加湿用噴霧部２や回収皿４は備えていない。そして、この浴室暖房ユニット１０ａは、熱源機３０からの熱媒体を熱交換器１に循環させて送風ファン３を運転することで、浴室４８内に温風を吹き出して浴室暖房を行うことができる。
【００２８】
また、この浴室暖房装置には、図４（ｂ）に示すように、浴室４８の外部壁等の所定位置に設置された換気ユニット４７を備えている。この換気ユニット４７は、内部に換気ファン（図示せず）を有し、浴室４８の壁部Ｗに貫通させた接続ダクト４６を介して浴室４８内の浴室暖房ユニット１０ａに連通されると共に、屋外に臨ませた換気ダクト（図示せず）が連通接続されている。上記接続ダクト４６の内部は、図４（ｃ）に示すように、換気用流路４６ａと加湿用流路４６ｂに仕切られており、換気用流路４６ａは浴室暖房ユニット１０ａと換気ユニット４７を連通させ、加湿用流路４６ｂは加湿ユニット３７からの加湿用配管３３を浴室暖房ユニット１０ａ内に連通させている。なお、上記接続ダクト４６は、内部を換気用流路４６ａと加湿用流路４６ｂとの２つの流路に仕切ったものとするが、このような接続ダクトを二重管としてもよいし、また、換気用流路４６ａと加湿用流路４６ｂとに別々に独立した２つの接続ダクトとしてもよい。そして、上記換気ユニット４７の換気ファンの運転により、接続ダクト４６の換気用流路４６ａ及び浴室暖房ユニット１０ａを介して浴室４８内の空気が換気ユニット４７に吸い込まれ、図示しない換気ダクトを通じて屋外に排気させることができる。
【００２９】
その他、この実施の形態２のミストサウナ機能付浴室暖房装置に関する構成及び運転動作（ミスト予備暖房運転とミストサウナ運転）については、上記実施の形態１のものと同じである。なお、浴室４８内には浴槽４９が設置されている。また、図４においては図１と同一符号のものは、図１に示すものと同一又は相当する。
従って、この実施の形態２による浴室暖房装置においても、上記加湿ユニット３７の加湿運転によって浴室４８内を湿度飽和状態にしてからミストノズル１８からミスト噴霧を行うようにするので、ミスト噴霧してもミストは気化することがなく浴室４８内の空気から気化熱を奪うこともない。よって、ミストサウナ入浴に際してミストノズル１８からのミスト噴霧時における浴室４８内の温度低下を防ぐことができる。
なお、上記加湿用配管３３は、浴室４８内の壁部Ｗの所定位置に設けた吐出口に接続させてこの吐出口から浴室４８内に湿潤空気を放出させるようにしてもよい。
【００３０】
また、上記加湿ユニット３７としては、上記超音波加湿方式に限定されるものではなく、例えば、電熱式・電極式などの蒸気加湿方式、遠心式などの水噴霧加湿方式、回転式・滴下式などの気化加湿方式等の種々の方式のものを採用することができ、また、上記熱源機３０内の熱（バーナの火など）を利用して発生させた蒸気を用いるようにしてもよい。
また、上記加湿ユニット３７に接続する送風ファン３８は、加湿ユニット３７の下流側に配置されているが、加湿ユニット３７の上流側に配置してもよい。
【００３１】
また、上記加湿ユニット３７は、ミストユニット２０ａ内に液々熱交換器１１と一緒に収納されているが、浴室暖房ユニット１０ａ内、熱源機３０内又は別の単体ユニットとして配置してもよい。
一方、上記実施の形態１，２は、ミストノズル１８からのミスト噴霧を可能とするために、湿度センサ５で浴室内の湿度飽和状態が検知されることとするが（図２のＳ８、図３のＳ２２）、本発明においては、ミストノズル１８からのミストが気化しても浴室内の空気から浴室内の温度低下を招くような気化熱を奪うことがない程度の高湿度状態が検知されることとしてもよい。
【図面の簡単な説明】
【００３２】
【図１】本発明の実施の形態１によるミストサウナ機能付浴室暖房装置の構成を示す模式図である。
【図２】本発明の実施の形態１によるミストサウナ機能付浴室暖房装置のミスト予備暖房運転の動作フローを示すフローチャートである。
【図３】本発明の実施の形態１によるミストサウナ機能付浴室暖房装置のミストサウナ運転の動作フローを示すフローチャートである。
【図４】本発明の実施の形態２によるミストサウナ機能付浴室暖房装置の構成を示す模式図であり、同図(ａ)は全体構成の模式図であり、同図(ｂ)は浴室等での配置図であり、同図(ｃ)は接続ダクトの断面図である。
【図５】従来の浴室暖房装置の構成を示す模式図である。
【符号の説明】
【００３３】
１  熱交換器
２  加湿用噴霧部（加湿手段）
３  送風ファン
５  湿度センサ（湿度検知手段）
６  制御用基板
７  電磁弁
１０  浴室暖房ユニット
１１  液々熱交換器
１８  ミストノズル（ミスト吹出し部）
２０  ミストユニット
２５  制御用基板
２７  浴室リモコン
２８  台所リモコン
３０  熱源機
３７  加湿ユニット
３８  送風ファン
３９  通気孔
４６  接続ダクト
４７  換気ユニット
４８  浴室
【図１】
2006300388.tif 000003
【図２】
2006300388.tif 000004
【図３】
2006300388.tif 000005
【図４】
2006300388.tif 000006
【図５】
2006300388.tif 000007